(57)【特許請求の範囲】
【請求項１】
油圧によりベルトを挟圧して動力を伝達するとともにベルト掛かり径を変更して変速比を変化させるベルト式無段変速機と、
動力源と前記ベルト式無段変速機との間に設けられた流体式動力伝達装置に備えられ、前記動力源側とベルト式無段変速機側とを直結する油圧式のロックアップクラッチと、
各部の油圧の元圧となるライン油圧を調圧するライン油圧制御弁と、
前記ロックアップクラッチの係合制御または解放制御の際に切り換えられるロックアップ制御弁とを備えた油圧制御装置において、
前記ライン油圧制御弁の制御と、前記ロックアップ制御弁の制御とが、１つの電磁弁によって行われ、
前記電磁弁の制御油圧の一定範囲に前記ライン油圧制御弁の制御範囲が設定され、残りの範囲に前記ロックアップ制御弁の制御範囲が設定され、
前記ライン油圧制御弁と前記電磁弁との間には、前記ロックアップ制御弁の制御範囲では、前記ライン油圧制御弁への出力油圧を「０」に設定可能な減圧弁が設けられていることを特徴とする油圧制御装置。
【請求項２】
油圧によりベルトを挟圧して動力を伝達するとともにベルト掛かり径を変更して変速比を変化させるベルト式無段変速機と、
動力源と前記ベルト式無段変速機との間に設けられた流体式動力伝達装置に備えられ、前記動力源側とベルト式無段変速機側とを直結する油圧式のロックアップクラッチと、
各部の油圧の元圧となるライン油圧を調圧するライン油圧制御弁と、
前記ロックアップクラッチの係合制御または解放制御の際に切り換えられるロックアップ制御弁とを備えた油圧制御装置において、
前記ライン油圧制御弁の制御と、前記ロックアップ制御弁の制御とが、１つの電磁弁によって行われ、
前記電磁弁の制御油圧の一定範囲に前記ライン油圧制御弁の制御範囲が設定され、残りの範囲に前記ロックアップ制御弁の制御範囲が設定され、
前記ライン油圧制御弁は、前記ロックアップ制御弁の制御範囲では、このライン油圧制御弁によるライン油圧の制御に寄与する、前記電磁弁の制御油圧が「０」になるように構成されていることを特徴とする油圧制御装置。
【請求項３】
請求項１または請求項２に記載の油圧制御装置において、
前記ロックアップ制御弁の制御範囲では、前記電磁弁以外の他の電磁弁によって、前記ライン油圧制御弁の制御を行うように構成されていることを特徴とする油圧制御装置。
【請求項４】
請求項３に記載の油圧制御装置において、
前記他の電磁弁が、前記ベルト式無段変速機の従動側プーリへこのベルト式無段変速機のベルト挟圧を制御する挟圧油圧を供給する挟圧油圧制御弁を制御する電磁弁であることを特徴とする油圧制御装置。
【発明の詳細な説明】
【技術分野】
【０００１】
本発明は、車両用動力伝達装置の油圧制御装置に関する。
【背景技術】
【０００２】
車両に搭載される動力伝達装置として、油圧によりベルトを挟圧して動力を伝達するとともにベルト掛かり径を変更して変速比を変化させるベルト式無段変速機と、動力伝達経路に設けられた流体式動力伝達装置に備えられ、動力源側とベルト式無段変速機側とを直結する油圧式のロックアップクラッチとを有するものが知られている。
【０００３】
このような車両用動力伝達装置の油圧制御装置には、各種の制御弁やそれを制御する電磁弁などが多数設けられる。例えば、各部の油圧の元圧となるライン油圧を調圧するライン油圧制御弁や、その元圧となるライン油圧を調圧して、ベルト式無段変速機の変速比を制御する変速油圧をベルト式無段変速機の駆動側プーリ（プライマリプーリ）へ供給する変速油圧制御弁、同じく元圧となるライン油圧を調圧して、ベルト式無段変速機のベルト挟圧を制御する挟圧油圧をベルト式無段変速機の従動側プーリ（セカンダリプーリ）へ供給する挟圧油圧制御弁、ロックアップクラッチの係合制御または解放制御（以下、係合・解放制御とも言う。）の際に切り換えられるロックアップ制御弁などが設けられている。また、それらの各制御弁を制御するためのリニア電磁弁やＯＮ−ＯＦＦ電磁弁などが設けられている。
【０００４】
そして、従来では、１つのリニア電磁弁の制御油圧を、ライン油圧制御弁およびロックアップ制御弁に供給して、１つのリニア電磁弁によりライン油圧制御弁の制御およびロックアップ制御弁の制御を行うようにしている。この場合、ロックアップクラッチの係合・解放に応じて油路を切り換えることによって、リニア電磁弁の制御油圧を、ライン油圧制御弁およびロックアップ制御弁のいずれか一方に供給するようにしている。なお、特許文献１には、１つのリニア電磁弁によってライン油圧制御弁の制御のみを行う技術が示されている。
【特許文献１】特開２０００−１３０５７４号公報
【発明の開示】
【発明が解決しようとする課題】
【０００５】
ところで、上述したように、ロックアップクラッチの係合・解放に応じて油路を切り換える構成とした場合、その油路を切り換えるための専用のＯＮ−ＯＦＦ電磁弁を設けなければならない。つまり、ライン油圧制御弁の制御とロックアップ制御弁の制御とを切り換えるための電磁弁が別途必要になる。その結果、コストアップや装置の大型化を招くという問題点がある。
【０００６】
本発明は、そのような問題点を鑑みてなされたものであり、ライン油圧制御弁の制御とロックアップ制御弁の制御とを切り換えるための専用の専用のＯＮ−ＯＦＦ電磁弁を設けることなく、ライン油圧制御弁の制御とロックアップ制御弁の制御とを１つの電磁弁によって行うことが可能な油圧制御装置を提供することを目的とする。
【課題を解決するための手段】
【０００７】
本発明は、上述の課題を解決するための手段を以下のように構成している。すなわち、本発明は、油圧制御装置であって、油圧によりベルトを挟圧して動力を伝達するとともにベルト掛かり径を変更して変速比を変化させるベルト式無段変速機と、動力源と前記ベルト式無段変速機との間に設けられた流体式動力伝達装置に備えられ、前記動力源側とベルト式無段変速機側とを直結する油圧式のロックアップクラッチと、各部の油圧の元圧となるライン油圧を調圧するライン油圧制御弁と、前記ロックアップクラッチの係合制御または解放制御の際に切り換えられるロックアップ制御弁とを備えている。そして、前記ライン油圧制御弁の制御と、前記ロックアップ制御弁の制御とが、１つの電磁弁によって行われ、前記電磁弁の制御油圧の一定範囲に前記ライン油圧制御弁の制御範囲が設定され、残りの範囲に前記ロックアップ制御弁の制御範囲が設定され、前記ライン油圧制御弁と前記電磁弁との間には、前記ロックアップ制御弁の制御範囲では、前記ライン油圧制御弁への出力油圧を「０」に設定可能な減圧弁が設けられていることを特徴としている。
【０００８】
上記構成によれば、１つの電磁弁によって、ライン油圧制御弁の制御範囲ではライン油圧の調圧制御が、ロックアップ制御弁の制御範囲ではロックアップクラッチの係合制御または解放制御が、それぞれ行われることになる。そして、減圧弁を用いて、電磁弁の制御油圧の一定範囲にライン油圧制御弁の制御範囲を設定し、残りの範囲にロックアップ制御弁の制御範囲を設定しているので、ライン油圧制御弁への出力油圧が「０」である間は、ロックアップ制御弁の制御が行われる一方、ライン油圧制御弁への出力油圧が「０」を超えると、ライン油圧制御弁の制御が行われるようになる。これにより、ライン油圧制御弁の制御とロックアップ制御弁の制御とを切り換えるための切換弁や、その切換弁を制御するための専用のＯＮ−ＯＦＦ電磁弁を設ける必要がなくなる。したがって、ライン油圧制御弁の制御とロックアップ制御弁の制御とを切り換えるための専用のＯＮ−ＯＦＦ電磁弁を設けることなく、ライン油圧制御弁の制御とロックアップ制御弁の制御とを１つの電磁弁によって行うことが可能になる。その結果、コストアップや装置の大型化を回避することが可能になる。
【０００９】
ここで、前記電磁弁の制御油圧の一定範囲に前記ライン油圧制御弁の制御範囲を設定し、残りの範囲に前記ロックアップ制御弁の制御範囲を設定するための構成を、前記ライン油圧制御弁に備えさせる構成としてもよい。具体的には、前記ライン油圧制御弁を、前記ロックアップ制御弁の制御範囲では、このライン油圧制御弁によるライン油圧の制御に寄与する、前記電磁弁の制御油圧が「０」になるように構成すればよい。
この構成では、ライン油圧の制御に寄与する電磁弁の制御油圧が「０」である間は、ロックアップ制御弁の制御が行われる一方、ライン油圧の制御に寄与する電磁弁の制御油圧が「０」を超えると、ライン油圧制御弁の制御が行われるようになる。これにより、ライン油圧制御弁の制御とロックアップ制御弁の制御とを切り換えるための切換弁や、その切換弁を制御するための専用のＯＮ−ＯＦＦ電磁弁を設ける必要がなくなる。したがって、ライン油圧制御弁の制御とロックアップ制御弁の制御とを切り換えるための専用のＯＮ−ＯＦＦ電磁弁を設けることなく、ライン油圧制御弁の制御とロックアップ制御弁の制御とを１つの電磁弁によって行うことが可能になる。その結果、コストアップや装置の大型化を回避することが可能になる。
【００１０】
また、前記ロックアップ制御弁の制御範囲では、前記電磁弁以外の他の電磁弁によって、前記ライン油圧制御弁の制御を行うことが好ましい。この場合、前記他の電磁弁としては、例えば、前記ベルト式無段変速機の従動側プーリへこのベルト式無段変速機のベルト挟圧を制御する挟圧油圧を供給する挟圧油圧制御弁を制御する電磁弁が挙げられる。こうすれば、ロックアップ制御弁の制御範囲において、ライン油圧の調圧制御が行われない状況を回避することが可能になる。
【発明の効果】
【００１４】
本発明によれば、油圧制御装置において、ライン油圧制御弁の制御とロックアップ制御弁の制御とを切り換えるための専用の電磁弁を設けることなく、ライン油圧制御弁の制御とロックアップ制御弁の制御とを１つの電磁弁によって行うことが可能になる。
【発明を実施するための最良の形態】
【００１５】
本発明を実施するための最良の形態について添付図面を参照しながら説明する。
【００１６】
図１は、実施形態に係る車両用駆動装置の概略構成を示す図である。
【００１７】
図１に例示する車両用駆動装置は、ＦＦ（フロントエンジン・フロントドライブ）型車両に好適に採用されるものである。この車両用駆動装置は、走行用動力源であるエンジン（内燃機関）１０、トルクコンバータ２０、前後進切換装置３０、ベルト式無段変速機（ＣＶＴ）４０、減速歯車装置５０、および、差動歯車装置６０を備えている。この車両用駆動装置において、エンジン１０の出力は、トルクコンバータ２０から前後進切換装置３０、ベルト式無段変速機４０、および、減速歯車装置５０を介して差動歯車装置６０に伝達され、左右の駆動輪７０Ｌ，７０Ｒへ分配される。上記トルクコンバータ２０、前後進切換装置３０、ベルト式無段変速機４０などによって動力伝達機構が構成されている。
【００１８】
トルクコンバータ２０は、流体（フルード）を介して動力伝達を行う流体伝動装置であって、エンジン１０の出力軸１１が連結されたフロントカバー２１に一体的に設けられるポンプインペラ２２と、このポンプインペラ２２に対向しフロントカバー２１の内面に隣接して設けられるとともにタービン軸２８を介して前後進切換装置３０に連結されるタービンランナ２３とを備えている。具体的に、ポンプインペラ２２とタービンランナ２３とには、多数のブレード（図示せず）が設けられており、ポンプインペラ２２が回転することによりフルードの螺旋流を生じさせ、その螺旋流をタービンランナ２３に送ることによりタービンランナ２３にトルクを与えて回転させるようになっている。
【００１９】
ポンプインペラ２２とタービンランナ２３との内周側の部分には、タービンランナ２３から送り出されたフルードの流動方向を変化させてポンプインペラ２２に流入させるステータ２４が配置されている。このステータ２４は、一方向クラッチ２５を介して所定の固定部に連結されている。また、ポンプインペラ２２には、油圧制御回路１００（図３参照）の各部に作動油を供給したりするための油圧をエンジン１０により回転駆動されることによって発生する機械式のオイルポンプ（油圧発生源）２７が設けられている。
【００２０】
トルクコンバータ２０は、ロックアップクラッチ２６を備えている。ロックアップクラッチ２６は、ポンプインペラ２２とタービンランナ２３とステータ２４とからなる実質的なトルクコンバータに対して並列に配置されたものであって、フロントカバー２１の内面に対向した状態でタービンランナ２３に保持されている。そして、ロックアップクラッチ２６は、油圧によってフロントカバー２１の内面に押し付けられることにより、入力部材であるフロントカバー２１から出力部材であるタービンランナ２３に直接、トルクを伝達するようになっている。ここで、その油圧を制御することによりロックアップクラッチ２６のクラッチ容量を制御できるようになっている。具体的には、ロックアップクラッチ２６は、油圧制御回路１００（図３参照）のロックアップコントロールバルブ１４０により、係合側油圧室２６１に供給されるロックアップ係合油圧ＰＯＮと解放側油圧室２６２に供給されるロックアップ解放油圧ＰＯＦＦとの差圧（ロックアップ差圧）ΔＰを制御することによって、完全係合・半係合（スリップ状態での係合）または解放される。
【００２１】
ロックアップクラッチ２６を完全係合させることにより、フロントカバー２１（ポンプインペラ２２）およびタービンランナ２３が一体回転する。また、ロックアップクラッチ２６を所定のスリップ状態（半係合状態）で係合させることにより、駆動時には所定のスリップ量でタービンランナ２３がポンプインペラ２２に追従して回転する。一方、ロックアップ差圧ΔＰを負に設定することによりロックアップクラッチ２６は解放状態となる。油圧制御回路１００によるロックアップクラッチ２６の係合・解放については後述する。
【００２２】
前後進切換装置３０は、ダブルピニオン型の遊星歯車機構３１と、前進用クラッチＣ１と、後進用ブレーキＢ１とを備えている。
【００２３】
遊星歯車機構３１のサンギヤ３２は、トルクコンバータ２０のタービン軸２８に一体的に連結されており、キャリヤ３６は、ベルト式無段変速機４０の入力軸４７に一体的に連結されている。キャリヤ３６およびサンギヤ３２は、前進用クラッチＣ１を介して選択的に連結されるようになっている。また、リングギヤ３３は、後進用ブレーキＢ１を介してハウジングに選択的に固定されるようになっている。
【００２４】
サンギヤ３２とリングギヤ３３との間には、サンギヤ３２に噛合する内側のピニオンギヤ３４と、この内側のピニオンギヤ３４およびリングギヤ３３に噛合する外側のピニオンギヤ３５とが配置されている。これらピニオンギヤ３４，３５は、キャリヤ３６によって自転かつ公転自在に保持されている。
【００２５】
前進用クラッチＣ１および後進用ブレーキＢ１は、ともに油圧アクチュエータによって係合・解放される油圧式の走行用摩擦係合要素である。前進用クラッチＣ１が係合されるとともに後進用ブレーキＢ１が解放されることにより、前後進切換装置３０は一体回転状態となり、前後進切換装置３０において前進用動力伝達経路が成立する。この状態では、前進方向の駆動力がベルト式無段変速機４０側へ伝達される。一方、後進用ブレーキＢ１が係合されるとともに前進用クラッチＣ１が解放されることにより、前後進切換装置３０において後進用動力伝達経路が成立する。この状態では、入力軸４７はタービン軸２８に対して逆方向へ回転し、この後進方向の駆動力がベルト式無段変速機４０側へ伝達される。また、前進用クラッチＣ１および後進用ブレーキＢ１がともに解放されると、前後進切換装置３０は、エンジン１０とベルト式無段変速機４０との間の動力伝達を遮断するニュートラル（遮断状態）になる。
【００２６】
より詳細には、前進用クラッチＣ１および後進用ブレーキＢ１は、油圧制御回路１００（図３参照）のマニュアルバルブ１７０がシフトレバー８７（図２参照）の操作にしたがって機械的に切り換えられることにより、係合・解放されるようになっている。シフトレバー８７は、例えば、運転席の横に配設されて運転者により切換操作されるもので、駐車のためのパーキング位置「Ｐ」、後進走行のためのリバース位置「Ｒ」、動力伝達を遮断するニュートラル位置「Ｎ」、前進走行のためのドライブ位置「Ｄ」などの各シフト位置に選択的に操作されるようになっている。パーキング位置「Ｐ」およびニュートラル位置「Ｎ」では、前進用クラッチＣ１および後進用ブレーキＢ１はともに解放される。リバース位置「Ｒ」では、後進用ブレーキＢ１が係合される一方、前進用クラッチＣ１が解放される。ドライブ位置「Ｄ」では、前進用クラッチＣ１が係合される一方、後進用ブレーキＢ１が解放される。油圧制御回路１００による前後進切換装置３０の走行用摩擦係合要素（前進用クラッチＣ１、後進用ブレーキＢ１）の係合・解放については後述する。
【００２７】
ベルト式無段変速機４０は、油圧により伝動ベルト４５を挟圧して動力を伝達するとともにその伝動ベルト４５の掛かり径を変更して変速比を変化させるものである。ベルト式無段変速機４０は、上記入力軸４７に設けられた駆動側プーリ（プライマリプーリ）４１と、出力軸４８に設けられた従動側プーリ（セカンダリプーリ）４２と、これらの両プーリ４１，４２に巻き掛けられた金属製の伝動ベルト４５とを備えている。そして、ベルト式無段変速機４０は、両プーリ４１，４２と伝動ベルト４５との間の摩擦力を介して動力伝達が行われるように構成されている。
【００２８】
駆動側プーリ４１は、有効径が可変な可変プーリであって、入力軸４７に固定された固定シーブ４１１と、入力軸４７に軸方向のみの摺動が可能な状態で配設された可動シーブ４１２によって構成されている。従動側プーリ４２も同様に、有効径が可変な可変プーリであって、出力軸４８に固定された固定シーブ４２１と、出力軸４８に軸方向のみの摺動が可能な状態で配設された可動シーブ４２２によって構成されている。駆動側プーリ４１の可動シーブ４１２側には、固定シーブ４１１と可動シーブ４１２との間のＶ溝幅を変更するための油圧アクチュエータ４１３が配置されている。また、従動側プーリ４２の可動シーブ４２２側にも同様に、固定シーブ４２１と可動シーブ４２２との間のＶ溝幅を変更するための油圧アクチュエータ４２３が配置されている。
【００２９】
そして、ベルト式無段変速機４０において、駆動側プーリ４１の油圧アクチュエータ４１３の油圧（変速油圧）ＰＩＮを制御することにより、両プーリ４１，４２のＶ溝幅が変化して伝動ベルト４５の掛かり径（有効径）が変更され、変速比γ（＝入力軸回転速度ＮＩＮ／出力軸回転速度ＮＯＵＴ）が連続的に変化する。また、従動側プーリ４２の油圧アクチュエータ４２３の油圧（挟圧油圧）ＰＯＵＴは、伝動ベルト４５の滑りが生じない範囲で伝達トルクを伝達する所定のベルト挟圧力（摩擦力）を発生させるように制御される。
【００３０】
駆動側プーリ４１の油圧アクチュエータ４１３の変速油圧ＰＩＮ、および、従動側プーリ４２の油圧アクチュエータ４２３の挟圧油圧ＰＯＵＴは、電子制御装置８０（図２参照）からの指令にしたがってそれぞれ調圧される。ここで、変速油圧ＰＩＮは、油圧制御回路１００（図３参照）の変速油圧コントロールバルブ１２０によって調圧制御される。また、挟圧油圧ＰＯＵＴは、油圧制御回路１００の挟圧油圧コントロールバルブ１３０によって調圧制御される。油圧制御回路１００によるベルト式無段変速機４０の変速油圧ＰＩＮおよび挟圧油圧ＰＯＵＴの調圧については後述する。
【００３１】
図２は、上述した車両用駆動装置の動力伝達機構の制御系統の一例を示すブロック図である。
【００３２】
図２に例示する電子制御装置８０は、ＣＰＵ８０１、ＲＯＭ８０２、ＲＡＭ８０３、バックアップＲＡＭ８０４を備えている。そして、ＣＰＵ８０１がＲＡＭ８０３の一時記憶機能を利用しつつ予めＲＯＭ８０２に記憶されたプログラムにしたがって信号処理を行うことにより、ベルト式無段変速機４０の変速油圧ＰＩＮおよび挟圧油圧ＰＯＵＴの調圧制御、前後進切換装置３０の走行用摩擦係合要素（前進用クラッチＣ１、後進用ブレーキＢ１）の係合・解放の制御、トルクコンバータ２０のロックアップクラッチ２６の係合・解放の制御、各部の油圧の元圧となるライン油圧ＰＬの調圧制御などの各種制御が実行されるようになっている。
【００３３】
詳しく説明すれば、ＲＯＭ８０２には、各種制御プログラムや、それら各種制御プログラムを実行する際に参照されるマップ等が記憶されている。ＣＰＵ８０１は、ＲＯＭ８０２に記憶された各種制御プログラムやマップに基づいて演算処理を実行する。また、ＲＡＭ８０３は、ＣＰＵ８０１での演算結果や各センサから入力されたデータ等を一時的に記憶するメモリであり、バックアップＲＡＭ８０４は、エンジン１０の停止時にその保存すべきデータ等を記憶する不揮発性のメモリである。これらＣＰＵ８０１、ＲＯＭ８０２、ＲＡＭ８０３、および、バックアップＲＡＭ８０４は、双方向性バス８０７を介して互いに接続されるとともに、入力インターフェース８０５および出力インターフェース８０６に接続されている。
【００３４】
入力インターフェース８０５には、上記車両用駆動装置を搭載した車両の動作状態（あるいは走行状態）を検出するために各種のセンサが接続されている。具体的に、入力インターフェース８０５には、レバーポジションセンサ８１、アクセル操作量センサ８２、エンジン回転速度センサ８３、車速センサとしても機能する出力軸回転速度センサ８４、入力軸回転速度センサ８５、タービン回転速度センサ８６などが接続されている。レバーポジションセンサ８１は、例えば、パーキング位置「Ｐ」、リバース位置「Ｒ」、ニュートラル位置「Ｎ」、ドライブ位置「Ｄ」などのシフト位置にシフトレバー８７が操作されたことを検出する複数のＯＮ−ＯＦＦスイッチ等を備えている。
【００３５】
そして、電子制御装置８０には、これらの各種センサからそれぞれシフトレバー８７のレバーポジション（操作位置）ＰＳＨ、アクセルペダル等のアクセル操作部材の操作量（アクセル操作量）θＡＣＣ、エンジン１０の回転速度（エンジン回転速度）ＮＥ、ベルト式無段変速機４０の出力軸４８の回転速度（出力軸回転速度）ＮＯＵＴ、ベルト式無段変速機４０の入力軸４７の回転速度（入力軸回転速度）ＮＩＮ、トルクコンバータ２０のタービン軸２８の回転速度（タービン回転速度）ＮＴなどを表す信号が供給されるようになっている。タービン回転速度ＮＴは、前後進切換装置３０の前進用クラッチＣ１が係合させられた前進走行時には入力軸回転速度ＮＩＮと一致する。出力軸回転速度ＮＯＵＴは車速Ｖに対応する。また、アクセル操作量θＡＣＣは運転者の出力要求量を表している。
【００３６】
出力インターフェース８０６には、油圧制御回路１００のリニアソレノイドバルブＳＬＰ，ＳＬＳ，ＳＬＴ、ＯＮ−ＯＦＦソレノイドバルブＳＬ１などが接続されている。電子制御装置８０は、油圧制御回路１００のリニアソレノイドバルブＳＬＰ，ＳＬＳ，ＳＬＴの励磁電流を制御して、これらのリニアソレノイドバルブＳＬＰ，ＳＬＳ，ＳＬＴから出力される制御油圧ＰＳＬＰ，ＰＳＬＳ，ＰＳＬＴをそれぞれ調圧するとともに、油圧制御回路１００のＯＮ−ＯＦＦソレノイドバルブＳＬ１のＯＮ状態（励磁状態）とＯＦＦ状態（非励磁状態）とを切り換える。これにより、ベルト式無段変速機４０の変速油圧ＰＩＮおよび挟圧油圧ＰＯＵＴの調圧制御、前後進切換装置３０の走行用摩擦係合要素の係合・解放制御、ロックアップクラッチ２６の係合・解放制御、ライン油圧ＰＬの調圧制御などが行われるようになっている。
【００３７】
図３は、上述した車両用駆動装置の動力伝達機構を制御するための油圧制御回路の一例を示す回路図である。
【００３８】
図３に例示する油圧制御回路１００は、上述したオイルポンプ２７、変速油圧コントロールバルブ１２０、挟圧油圧コントロールバルブ１３０、ロックアップコントロールバルブ１４０、マニュアルバルブ１７０を含み、さらに、プライマリレギュレータバルブ１１０、ガレージシフトバルブ１６０、減圧バルブ１８０を含む。また、油圧制御回路１００は、上述した電子制御装置８０に接続されるリニアソレノイドバルブＳＬＰ，ＳＬＳ，ＳＬＴ、ＯＮ−ＯＦＦソレノイドバルブＳＬ１を含む。なお、図３に示す油圧制御回路１００は、車両用駆動装置の動力伝達機構の油圧制御回路の一部分について概略的に示したものであり、実際の油圧回路は、この図３に示すもの以外に図示しないバルブや油路なども含んでいる。
【００３９】
油圧制御回路１００において、オイルポンプ２７により発生された油圧は、プライマリレギュレータバルブ１１０により各部の油圧の元圧となるライン油圧ＰＬに調整される。プライマリレギュレータバルブ１１０によって調圧されたライン油圧ＰＬは、油路１０１を介して、変速油圧コントロールバルブ１２０や挟圧油圧コントロールバルブ１３０などの油圧制御回路１００の各部に供給される。
【００４０】
プライマリレギュレータバルブ１１０は、軸方向へ移動可能な第１スプール１１１ａおよび第２スプール１１１ｂと、第１スプール１１１ａおよび第２スプール１１１ｂを一方へ付勢する付勢手段としてのスプリング１１２とを備えている。図３においては、上側に設けられた第１スプール１１１ａと下側に設けられた第２スプール１１１ｂとがともに上下に摺動可能に設けられている。プライマリレギュレータバルブ１１０には、制御ポート１１５ａ，１１５ｂ，１１５ｃと、入力ポート１１６と、出力ポート１１７とが設けられている。
【００４１】
第１スプール１１１ａによって、入力ポート１１６と出力ポート１１７とが連通・遮断される。スプリング１１２は、第２スプール１１１ｂの一端側（図３では下端側）に設けられた制御油圧室１１３ｃに圧縮状態で配置されている。つまり、この制御油圧室１１３ｃは、スプリング１１２が配置されるスプリング室になっている。スプリング１１２の付勢力によって、入力ポート１１６と出力ポート１１７とを遮断する方向（図３では上方）に第２スプール１１１ｂおよび第１スプール１１１ａが押圧されている。
【００４２】
制御ポート１１５ａは、第１スプール１１１ａの他端側（図３では上端側）に設けられる制御油圧室１１３ａに接続されている。また、制御ポート１１５ａは、油路１０１に接続されている。この制御ポート１１５ａを介して、制御油圧室１１３ａにライン油圧ＰＬが供給される。
【００４３】
制御ポート１１５ｂは、第１スプール１１１ａの一端側と第２スプール１１１ｂの他端側との間に設けられる制御油圧室１１３ｂに接続されている。また、制御ポート１１５ｂは、油路１０２を介してリニアソレノイドバルブＳＬＳの出力ポートＳＬＳｂに接続されている。この制御ポート１１５ｂを介して、制御油圧室１１３ｂにリニアソレノイドバルブＳＬＳの出力油圧（制御油圧）ＰＳＬＳが供給される。
【００４４】
制御ポート１１５ｃは、上記制御油圧室１１３ｃに接続されている。また、制御ポート１１５ｃは、油路１０３を介して減圧バルブ１８０の出力ポート１８７に接続されている。この制御ポート１１５ｃを介して、制御油圧室１１３ｃに減圧バルブ１８０の出力油圧ＰＣＴＬが供給される。
【００４５】
入力ポート１１６は、油路１０１に接続されている。この入力ポート１１６を介してライン油圧ＰＬが入力されるようになっている。出力ポート１１７は、図示しないセカンダリレギュレータバルブに接続されている。
【００４６】
第１スプール１１１ａは、制御油圧室１１３ａに導入される上記ライン油圧ＰＬと、制御油圧室１１３ｂに導入される上記制御油圧ＰＳＬＳまたは制御油圧室１１３ｃに導入される減圧バルブ１８０の出力油圧ＰＣＴＬ、および、スプリング１１２の付勢力の合成力とのバランスにより上下に摺動する。そして、上記合成力が上記ライン油圧ＰＬによる力に勝っている間は、入力ポート１１６と出力ポート１１７とが遮断された状態になっている。一方、上記ライン油圧ＰＬによる力が上記合成力に勝ると、第１スプール１１１ａが図３において下方に移動して、入力ポート１１６と出力ポート１１７とが連通されるようになる。これにより、油路１０１からの油圧が出力ポート１１７を介してドレーンされることで、ライン油圧ＰＬの調整が行われる。したがって、リニアソレノイドバルブＳＬＳの制御油圧ＰＳＬＳおよび減圧バルブ１８０の出力油圧ＰＣＴＬ（言い換えれば、リニアソレノイドバルブＳＬＴの制御油圧ＰＳＬＴ）の少なくとも一方の油圧を制御することで、ライン油圧ＰＬの調圧制御を行うことが可能になっている。
【００４７】
ここで、第１スプール１１１ａと第２スプール１１１ｂとが同径に形成されている。そして、制御ポート１１５ｂを介して供給される上記制御油圧ＰＳＬＳの第１スプール１１１ａへの作用面積（受圧面積）と、上記制御油圧ＰＳＬＳの第２スプール１１１ｂへの作用面積（受圧面積）と、制御ポート１１５ｃを介して供給される上記出力油圧ＰＣＴＬの第２スプール１１１ｂへの作用面積（受圧面積）とが同じになっている。
【００４８】
これにより、上記合成力には、制御油圧室１１３ｂに導入される上記制御油圧ＰＳＬＳおよび制御油圧室１１３ｃに導入される減圧バルブ１８０の出力油圧ＰＣＴＬのうち高いほうの油圧が寄与する。つまり、プライマリレギュレータバルブ１１０は、上記制御油圧ＰＳＬＳおよび上記出力油圧ＰＣＴＬのうち高いほうの油圧を選択して、ライン油圧ＰＬの調圧制御を行うように構成されている。具体的に、プライマリレギュレータバルブ１１０は、上記出力油圧ＰＣＴＬに比べ上記制御油圧ＰＳＬＳのほうが高いとき、第１スプール１１１ａは第２スプール１１１ｂに対し離間した状態で上下に移動する一方、上記制御油圧ＰＳＬＳに比べ上記出力油圧ＰＣＴＬのほうが高いとき、両スプール１１１ａ，１１１ｂが接触して一体的な状態で上下に移動するように構成されている。このように、ライン油圧ＰＬの制御の際、２つの制御油圧ＰＳＬＳ，ＰＳＬＴの演算などを行わなくても、２つの油圧ＰＳＬＳ，ＰＣＴＬのうち高いほうの油圧が自動的に選択されるので、ライン油圧ＰＬの制御を容易に行うことが可能になる。
【００４９】
変速油圧コントロールバルブ１２０は、軸方向へ移動可能なスプール１２１と、そのスプール１２１を一方へ付勢する付勢手段としてのスプリング１２２とを備えている。変速油圧コントロールバルブ１２０は、リニアソレノイドバルブＳＬＰの出力油圧（制御油圧）ＰＳＬＰをパイロット圧として、元圧となるライン油圧ＰＬを連続的に調圧制御するように構成されている。そして、変速油圧コントロールバルブ１２０により調整された油圧（変速油圧ＰＩＮ）は、油路１０９ａを介して駆動側プーリ４１の油圧アクチュエータ４１３に供給される。
【００５０】
したがって、変速油圧ＰＩＮの調圧制御は、リニアソレノイドバルブＳＬＰの制御油圧ＰＳＬＰを制御することによって行われるようになっている。上記制御油圧ＰＳＬＰは励磁電流に応じてリニアに変化するため、この制御油圧ＰＳＬＰに応じてベルト式無段変速機４０の変速比γが連続的に変更される。この場合、例えば、ＲＯＭ８０２に予め記憶された変速マップから実際の車速Ｖおよびアクセル開度θＡＣＣで示される車両状態に基づいて設定される目標入力軸回転速度と、実際の入力軸回転速度ＮＩＮとが一致するように、それらの回転速度差（偏差）に応じてベルト式無段変速機４０の変速比γが変更される。変速マップは、変速条件を示すもので、例えば、アクセル開度θＡＣＣをパラメータとして車速Ｖとベルト式無段変速機４０の目標入力回転速度である目標入力軸回転速度との関係である。
【００５１】
挟圧油圧コントロールバルブ１３０は、軸方向へ移動可能なスプール１３１と、そのスプール１３１を一方へ付勢する付勢手段としてのスプリング１３２とを備えている。挟圧油圧コントロールバルブ１３０は、リニアソレノイドバルブＳＬＳの制御油圧ＰＳＬＳをパイロット圧として、元圧となるライン油圧ＰＬを連続的に調圧制御するように構成されている。そして、挟圧油圧コントロールバルブ１３０により調整された油圧（挟圧油圧ＰＯＵＴ）は、油路１０９ｂを介して従動側プーリ４２の油圧アクチュエータ４２３に供給される。
【００５２】
したがって、挟圧油圧ＰＯＵＴの調圧制御は、リニアソレノイドバルブＳＬＳの制御油圧ＰＳＬＳを制御することによって行われるようになっている。上記制御油圧ＰＳＬＳは励磁電流に応じてリニアに変化するため、この制御油圧ＰＳＬＳに応じてベルト式無段変速機４０のベルト挟圧力が連続的に変更される。この場合、例えば、ＲＯＭ８０２に予め記憶された挟圧力マップから実際の変速比γおよびアクセル開度θＡＣＣで示される車両状態に基づいて設定される必要な目標変速油圧が得られるように従動側プーリ４２の油圧アクチュエータ４２３の挟圧油圧ＰＯＵＴが調圧され、この挟圧油圧ＰＯＵＴに応じてベルト式無段変速機４０のベルト挟圧力が変更される。挟圧力マップは、アクセル開度θＡＣＣをパラメータとして変速比γと必要とされる目標変速油圧との関係であり、ベルト滑りが生じないように予め実験的により求められる関係である。
【００５３】
ここで、変速油圧ＰＩＮおよび挟圧油圧ＰＯＵＴは元圧となるライン油圧ＰＬを調圧して得られるので、ライン油圧ＰＬは少なくとも変速油圧ＰＩＮおよび挟圧油圧ＰＯＵＴ以上であることが必要である。このため、ベルト式無段変速機４０の変速比γおよび挟圧力の制御を行うのに必要とされる目標変速油圧および目標挟圧油圧以上のライン油圧ＰＬが得られるように、オイルポンプ２７を駆動する必要がある。この場合、必要とされる目標変速油圧および目標挟圧油圧は、例えば、図６に示すように設定される。この図６は、入力軸回転速度ＮＩＮおよび入力トルクを一定とした条件下で、ベルト式無段変速機４０の変速比γに応じて必要とされる目標変速油圧および目標挟圧油圧の設定値の変化の一例を示している。図中の破線は目標変速油圧の変化を示し、一点鎖線は目標挟圧油圧の変化を示している。
【００５４】
変速比γがγ１よりも低い増速側（図中左側）では、目標挟圧油圧に比べ目標変速油圧が高く設定され、その差は増速度が高くなるほど大きくなる。一方、変速比γがγ１よりも高い減速側（図中右側）では、目標変速油圧に比べ目標挟圧油圧が高く設定され、その差は減速度が高くなるほど大きくなる。つまり、目標変速油圧および目標挟圧油圧の設定値は変速比γの変化にともなって（上記変速比γ１を切換点として）逆転する。そして、オイルポンプ２７の駆動損失を抑制するためには、変速比γがγ１よりも高い場合、ライン油圧ＰＬを目標挟圧油圧に比べ同じもしくは僅かに高く設定することが好ましく、また、変速比γがγ１よりも低い場合、ライン油圧ＰＬを目標変速油圧に比べ同じもしくは僅かに高く設定することが好ましい。なお、その変速比γ１の具体的な値としては変速比「１」が挙げられるが、これに限定されるものではない。
【００５５】
減圧バルブ１８０は、上記プライマリレギュレータバルブ１１０の制御油圧室１１３ｃに導入される油圧を調整する調圧弁である。減圧バルブ１８０は、プライマリレギュレータバルブ１１０とリニアソレノイドバルブＳＬＴとの間に設けられている。具体的に、減圧バルブ１８０は、軸方向へ移動可能なスプール１８１と、そのスプール１８１を一方へ付勢する付勢手段としてのスプリング１８２とを備えている。図３においては、スプール１８１が上下に摺動可能に設けられている。減圧バルブ１８０には、制御ポート１８５と、入力ポート１８６と、出力ポート１８７と、フィードバックポート１８８と、ドレーンポート１８９とが設けられている。
【００５６】
スプール１８１によって、入力ポート１８６と出力ポート１８７とが連通・遮断される。スプリング１８２は、スプール１８１の一端側（図３では下端側）に設けられたスプリング室１８４に圧縮状態で配置されている。スプリング１８２の付勢力によって、入力ポート１８６と出力ポート１８７とを遮断する方向（図３では上方）にスプール１８１が押圧されている。
【００５７】
制御ポート１８５は、スプール１８１の他端側（図３では上端側）に設けられる制御油圧室１８３に接続されている。また、制御ポート１８５は、油路１０４を介してリニアソレノイドバルブＳＬＴの出力ポートＳＬＴｂに接続されている。この制御ポート１８５を介して、制御油圧室１８３にリニアソレノイドバルブＳＬＴの出力油圧（制御油圧）ＰＳＬＴが供給される。
【００５８】
入力ポート１８６は、図示しない第１モジュレータバルブに接続されている。この入力ポート１８６を介して、ライン油圧ＰＬを元圧として第１モジュレータバルブにより調圧された第１モジュレータ油圧ＰＭ１が入力されるようになっている。出力ポート１８７は、油路１０３を介して上述したプライマリレギュレータバルブ１１０の制御ポート１１５ｃに接続されている。そして、この減圧バルブ１８０によって減圧された油圧（出力油圧ＰＣＴＬ）が出力ポート１８７から出力されるようになっている。
【００５９】
フィードバックポート１８８は、上記スプリング室１８４に接続されている。また、フィードバックポート１８８は、油路１０３に接続されている。このフィードバックポート１８８を介して、スプリング室１８４に上記出力油圧ＰＣＴＬと等しい油圧が供給される。
【００６０】
スプール１８１は、制御油圧室１８３に導入される上記制御油圧ＰＳＬＴと、スプリング室１８４に導入される上記出力油圧ＰＣＴＬおよびスプリング１８２の付勢力の合成力とのバランスにより上下に摺動する。この場合、スプリング１８２の付勢力が上記制御油圧ＰＳＬＴによる力に勝っている間は、スプール１８１が他端側に固定された状態になっており、入力ポート１８６と出力ポート１８７とが遮断されている。この状態では、上記出力油圧ＰＣＴＬは、スプリング室１８４およびプライマリレギュレータバルブ１１０の制御油圧室１１３ｃへは導入されず、かつ、ドレーンポート１８９と出力ポート１８７が連通するため、この部位の油圧は０となる。
【００６１】
一方、上記制御油圧ＰＳＬＴによる力がスプリング１８２の付勢力に勝ると、スプール１８１の一端側への移動が許容されるようになる。これにともない、入力ポート１８６と出力ポート１８７とが連通され、これにより、上記出力油圧ＰＣＴＬが、油路１０３を介して、スプリング室１８４およびプライマリレギュレータバルブ１１０の制御油圧室１１３ｃへ導入されるようになる。
【００６２】
出力ポート１８７から出力される出力油圧ＰＣＴＬは、スプリング１８２の付勢力（荷重）をＷ１、フィードバックポート１８８を介して供給される上記出力油圧ＰＣＴＬのスプール１８１への作用面積（受圧面積）をＳ１とすると、［ＰＳＬＴ−Ｗ１／Ｓ１］、となる。したがって、図４に示すように、リニアソレノイドバルブＳＬＴの制御油圧ＰＳＬＴを制御することで、減圧バルブ１８０の出力油圧ＰＣＴＬの調圧制御を行うことが可能になっている。
【００６３】
このように、減圧バルブ１８０により、上記出力油圧ＰＣＴＬは、リニアソレノイドバルブＳＬＴの制御油圧ＰＳＬＴに対しスプリング１８２の付勢力に相当する油圧だけ減圧されたものとなっている。これにより、リニアソレノイドバルブＳＬＴを、後述するように、ライン油圧ＰＬの調圧制御のためだけではなく、ロックアップクラッチ２６の係合・解放制御のためにも用いることが可能になっている。
【００６４】
マニュアルバルブ１７０は、シフトレバー８７の操作にしたがって前後進切換装置３０の前進用クラッチＣ１および後進用ブレーキＢ１への油圧供給を切り換える切換弁である。マニュアルバルブ１７０は、シフトレバー８７のパーキング位置「Ｐ」、リバース位置「Ｒ」、ニュートラル位置「Ｎ」、ドライブ位置「Ｄ」などの各シフト位置に対応して切り換えられる。
【００６５】
マニュアルバルブ１７０が、シフトレバー８７のパーキング位置「Ｐ」およびニュートラル位置「Ｎ」に対応して切り換えられている場合、前進用クラッチＣ１の油圧サーボおよび後進用ブレーキＢ１の油圧サーボへは油圧は供給されない。前進用クラッチＣ１の油圧サーボおよび後進用ブレーキＢ１の油圧サーボの作動油は、マニュアルバルブ１７０を介してドレーンされる。これにより、前進用クラッチＣ１および後進用ブレーキＢ１がともに解放される。
【００６６】
マニュアルバルブ１７０が、シフトレバー８７のリバース位置「Ｒ」に対応して切り換えられている場合、後進用ブレーキＢ１の油圧サーボへは油圧が供給される一方、前進用クラッチＣ１の油圧サーボへは油圧は供給されない。前進用クラッチＣ１の油圧サーボの作動油は、マニュアルバルブ１７０を介してドレーンされる。これにより、後進用ブレーキＢ１が係合されるとともに、前進用クラッチＣ１が解放される。
【００６７】
マニュアルバルブ１７０が、シフトレバー８７のドライブ位置「Ｄ」に対応して切り換えられている場合、入力ポート１７６および出力ポート１７７が連通され、前進用クラッチＣ１の油圧サーボへ油圧が供給される。一方、後進用ブレーキＢ１の油圧サーボへは油圧は供給されない。後進用ブレーキＢ１の油圧サーボの作動油は、マニュアルバルブ１７０を介してドレーンされる。これにより、前進用クラッチＣ１が係合されるとともに、後進用ブレーキＢ１が解放される。前進用クラッチＣ１の係合にともなう油圧供給は、次に述べるガレージシフトバルブ１６０を介して行われる。
【００６８】
ガレージシフトバルブ１６０は、ガレージシフトの際、前後進切換装置３０の走行用摩擦係合要素（前進用クラッチＣ１、後進用ブレーキＢ１）の係合過渡時と係合時（完全係合時）とに対応して油路を切り換える切換弁である。このガレージシフトバルブ１６０の切り換えにより、例えば、車両発進時などにシフトレバー８７がパーキング位置「Ｐ」やニュートラル位置「Ｎ」などの非走行位置からドライブ位置「Ｄ」などの走行位置へ操作された際、前進用クラッチＣ１の油圧サーボへの供給油圧が、係合過渡時に対応する係合過渡油圧と、完全係合時に対応する係合保持油圧とに切り換えられる。同様に、シフトレバー８７がリバース位置「Ｒ」に操作された際にも、ガレージシフトバルブ１６０の切り換えにより、後進用ブレーキＢ１の油圧サーボへの供給油圧が、係合過渡時に対応する係合過渡油圧と、完全係合時に対応する係合保持油圧とに切り換えられる。なお、以下では、ガレージシフトバルブ１６０により、前進用クラッチＣ１の油圧サーボへの供給油圧を切り換える場合について代表して説明する。
【００６９】
具体的には、ガレージシフトバルブ１６０は、前進用クラッチＣ１の係合過渡時には、図３の左半分に示すコントロール位置に切り換えられ、前進用クラッチＣ１の完全係合時には、図３の右半分に示すノーマル位置に切り換えられるように構成されている。ガレージシフトバルブ１６０の切り換えは、ＯＮ−ＯＦＦソレノイドバルブＳＬ１の出力油圧（制御油圧）を制御することによって行われる。
【００７０】
ガレージシフトバルブ１６０は、軸方向へ移動可能なスプール１６１と、そのスプール１６１を一方へ付勢する付勢手段としてのスプリング１６２とを備えている。図３においては、スプール１６１が上下に摺動可能に設けられている。スプリング１６２は、スプール１６１の一端側（図３では下端側）に設けられたスプリング室１６４に圧縮状態で配置されている。スプリング１６２の付勢力によって、ガレージシフトバルブ１６０を上記ノーマル位置に保持する方向（図３では上方）へスプール１６１が押圧されている。ガレージシフトバルブ１６０には、制御ポート１６５と、入力ポート１６６ａ，１６６ｂと、出力ポート１６７と、ドレーンポート１６９とが設けられている。
【００７１】
制御ポート１６５は、スプール１６１の他端側（図３では上端側）に設けられる制御油圧室１６３に接続されている。また、制御ポート１６５は、ＯＮ−ＯＦＦソレノイドバルブＳＬ１の出力ポートＳＬ１ｂに接続されている。この制御ポート１６５を介して、制御油圧室１６３にＯＮ−ＯＦＦソレノイドバルブＳＬ１の制御油圧が供給される。
【００７２】
入力ポート１６６ａは、図示しない第２モジュレータバルブに接続されている。この入力ポート１６６ａを介して、ライン油圧ＰＬを元圧として第２モジュレータバルブにより調圧された第２モジュレータ油圧ＰＭ２が入力されるようになっている。入力ポート１６６ｂは、油路１０５を介してリニアソレノイドバルブＳＬＴの出力ポートＳＬＴｃに接続されている。この入力ポート１６６ｂを介して、リニアソレノイドバルブＳＬＴの制御油圧ＰＳＬＴが入力されるようになっている。なお、上記第２モジュレータバルブはプライマリレギュレータバルブ１１０の下流側に設けられ、この第２モジュレータバルブの下流側に上記第１モジュレータバルブが設けられる。このため、上記第２モジュレータ油圧ＰＭ２は、上記第１モジュレータ油圧ＰＭ１に比べ高く設定されるようになっている。
【００７３】
出力ポート１６７は、油路１０７を介してマニュアルバルブ１７０の入力ポート１７６に接続されている。ドレーンポート１６９は、スプリング室１６４に接続されている。
【００７４】
続いて、ガレージシフトバルブ１６０の切り換え動作について説明する。
【００７５】
この実施形態では、ガレージシフトバルブ１６０の切り換えを行うための制御弁として、ＯＮ−ＯＦＦソレノイドバルブＳＬ１が設けられている。ＯＮ−ＯＦＦソレノイドバルブＳＬ１は、電子制御装置８０から送られる指令にしたがって、ＯＮ状態とＯＦＦ状態とを切り換えるように構成されている。ＯＮ−ＯＦＦソレノイドバルブＳＬ１として、以下に述べるようなノーマルクローズタイプの電磁弁を用いることが可能であるが、ノーマルオープンタイプの電磁弁を用いる構成としてもよい。なお、ガレージシフトバルブ１６０の切り換えを行うための制御弁として、ＯＮ−ＯＦＦソレノイドバルブＳＬ１の代わりに、リニアタイプの電磁弁や、デューティタイプの電磁弁、三方弁タイプの電磁弁などを用いることが可能である。
【００７６】
具体的には、ＯＮ−ＯＦＦソレノイドバルブＳＬ１が通電時であるＯＮ状態のとき、所定の制御油圧が出力ポートＳＬ１ｂから出力され、その制御油圧がガレージシフトバルブ１６０へ供給される。そして、その制御油圧によってスプール１６１がスプリング１６２の付勢力に抗して下方に移動する。これにより、ガレージシフトバルブ１６０がコントロール位置に保持される。一方、ＯＮ−ＯＦＦソレノイドバルブＳＬ１が非通電時であるＯＦＦ状態のとき、その制御油圧の出力が停止される。そして、スプリング１６２の付勢力によってスプール１６１が上方に移動する。これにより、ガレージシフトバルブ１６０がノーマル位置に保持される。なお、ＯＮ−ＯＦＦソレノイドバルブＳＬ１には、上記第１モジュレータバルブにより調圧された上記第１モジュレータ油圧ＰＭ１が、入力ポートＳＬ１ａを介して導入される。
【００７７】
そして、ＯＮ−ＯＦＦソレノイドバルブＳＬ１は、前後進切換装置３０の前進用クラッチＣ１の係合過渡時、言い換えれば、前進用クラッチＣ１の係合動作が開始されてから前進用クラッチＣ１が完全係合状態に至るまでの間は、ＯＮ状態に制御される。これにともない、ＯＮ−ＯＦＦソレノイドバルブＳＬ１の制御油圧が制御ポート１６５を介して制御油圧室１６３に導入され、ガレージシフトバルブ１６０がコントロール位置に保持される。これにより、入力ポート１６６ｂおよび出力ポート１６７が連通される。
【００７８】
この場合、マニュアルバルブ１７０の入力ポート１７６および出力ポート１７７が連通されているので、入力ポート１６６ｂおよび出力ポート１６７の連通により、リニアソレノイドバルブＳＬＴの制御油圧ＰＳＬＴが前進用クラッチＣ１の油圧サーボへ供給されるようになる。したがって、前進用クラッチＣ１の係合過渡時に油圧サーボに供給される係合過渡油圧が上記制御油圧ＰＳＬＴになっている。こうして、リニアソレノイドバルブＳＬＴにより前進用クラッチＣ１の係合過渡制御が行われる。ここで、係合過渡油圧としてのリニアソレノイドバルブＳＬＴの制御油圧ＰＳＬＴは励磁電流に応じてリニアに変化するため（図５参照）、ガレージシフトの際、前進用クラッチＣ１のスムーズな係合が可能になり、前進用クラッチＣ１の係合にともなうショックの抑制が可能になる。
【００７９】
一方、ＯＮ−ＯＦＦソレノイドバルブＳＬ１は、前進用クラッチＣ１が完全に係合した完全係合時（例えば、定常走行時など）にはＯＦＦ状態に制御される。この場合、制御油圧室１６３へのＯＮ−ＯＦＦソレノイドバルブＳＬ１の制御油圧の供給が停止されるので、ガレージシフトバルブ１６０はノーマル位置に保持される。これにより、入力ポート１６６ａおよび出力ポート１６７が連通される。この場合、マニュアルバルブ１７０の入力ポート１７６および出力ポート１７７が連通されているので、入力ポート１６６ａおよび出力ポート１６７の連通により、上記第２モジュレータ油圧ＰＭ２が前進用クラッチＣ１の油圧サーボへ供給されるようになる。したがって、前進用クラッチＣ１の完全係合時に油圧サーボに供給される係合保持油圧が上記第２モジュレータ油圧ＰＭ２になっている。ここで、上記第２モジュレータ油圧ＰＭ２は、上記制御油圧ＰＳＬＴ以上の一定油圧（クラッチ圧）に設定されており、前進用クラッチＣ１を完全係合状態で確実に保持することが可能になる。
【００８０】
なお、上記以外の場合（係合過渡時と完全係合時以外の場合）には、ＯＮ−ＯＦＦソレノイドバルブＳＬ１はＯＦＦ状態に制御され、ガレージシフトバルブ１６０はノーマル位置に保持される。しかし、シフトレバー８７のドライブ位置「Ｄ」などの走行位置以外の位置に対応してマニュアルバルブ１７０が切り換えられていれば、マニュアルバルブ１７０の入力ポート１７６および出力ポート１７７が遮断されるため、上記第２モジュレータ油圧ＰＭ２が前進用クラッチＣ１の油圧サーボへ供給されることはない。
【００８１】
ロックアップコントロールバルブ１４０は、ロックアップクラッチ２６の係合・解放を制御するものである。具体的には、ロックアップコントロールバルブ１４０は、ロックアップ差圧ΔＰ（ΔＰ＝ロックアップ係合油圧ＰＯＮ−ロックアップ解放油圧ＰＯＦＦ）を制御することによって、ロックアップクラッチ２６の係合・解放を制御するように構成されている。ロックアップコントロールバルブ１４０によるロックアップ差圧ΔＰの制御は、リニアソレノイドバルブＳＬＴの制御油圧ＰＳＬＴを制御することによって行われる。
【００８２】
ロックアップコントロールバルブ１４０は、軸方向へ移動可能なスプール１４１と、そのスプール１４１を一方へ付勢する付勢手段としてのスプリング１４２とを備えている。図３においては、スプール１４１が上下に摺動可能に設けられている。スプリング１４２は、スプール１４１の一端側（図３では下端側）に設けられたスプリング室１４４に圧縮状態で配置されている。スプリング１４２の付勢力によって、ロックアップコントロールバルブ１４０を図３の左半分に示すＯＦＦ位置に保持する方向（図３では上方）へスプール１４１が押圧されている。ロックアップコントロールバルブ１４０には、制御ポート１４５ａと、バックアップポート１４５ｂと、入力ポート１４６ａ，１４６ｂと、解放側ポート１４７ａと、係合側ポート１４７ｂと、フィードバックポート１４８と、ドレーンポート１４９ａ，１４９ｂとが設けられている。
【００８３】
制御ポート１４５ａは、スプール１４１の他端側（図３では上端側）に設けられる制御油圧室１４３に接続されている。また、制御ポート１４５ａは、油路１０５を介してリニアソレノイドバルブＳＬＴの出力ポートＳＬＴｃに接続されている。この制御ポート１４５ａを介して、制御油圧室１４３にリニアソレノイドバルブＳＬＴの制御油圧ＰＳＬＴが供給される。
【００８４】
バックアップポート１４５ｂは、上記スプリング室１４４に接続されている。また、バックアップポート１４５ｂは、油路１０８を介してＯＮ−ＯＦＦソレノイドバルブＳＬ１の出力ポートＳＬ１ｂに接続されている。このバックアップポート１４５ｂを介して、スプリング室１４４にＯＮ−ＯＦＦソレノイドバルブＳＬ１の制御油圧が供給される。
【００８５】
入力ポート１４６ａ，１４６ｂは、プライマリレギュレータバルブ１１０の出力ポート１１７に接続された図示しないセカンダリレギュレータバルブにそれぞれ接続されている。入力ポート１４６ａ，１４６ｂを介して、セカンダリレギュレータバルブによって調圧されたセカンダリ油圧ＰＳＥＣが入力されるようになっている。
【００８６】
解放側ポート１４７ａは、油路１０６ａを介してロックアップクラッチ２６の解放側油圧室２６２に接続されている。係合側ポート１４７ｂは、油路１０６ｂを介してロックアップクラッチ２６の係合側油圧室２６１に接続されている。
【００８７】
フィードバックポート１４８は、上記スプリング室１４４に接続されている。また、フィードバックポート１４８は、油路１０６ｂに接続されている。このフィードバックポート１４８を介して、スプリング室１４４にロックアップ係合油圧ＰＯＮと等しい油圧が供給される。
【００８８】
続いて、ロックアップコントロールバルブ１４０によるロックアップクラッチ２６の動作について説明する。
【００８９】
リニアソレノイドバルブＳＬＴの制御油圧ＰＳＬＴが制御ポート１４５ａを介して制御油圧室１４３に導入されると、ロックアップコントロールバルブ１４０は、その制御油圧ＰＳＬＴに応じてスプール１４１がスプリング１４２の付勢力に抗して下方に移動した状態（ＯＮ状態）となる。この場合、上記制御油圧ＰＳＬＴを高くするほど、スプール１４１が下方に移動する。図３の右半分には、スプール１４１が最大限下方に移動した状態を示している。この図３の右半分に示す状態では、入力ポート１４６ｂおよび係合側ポート１４７ｂ、解放側ポート１４７ａおよびドレーンポート１４９ａがそれぞれ連通される。このとき、ロックアップクラッチ２６は完全係合状態になっている。
【００９０】
ロックアップコントロールバルブ１４０がＯＮ状態のとき、スプール１４１は、制御油圧室１４３に導入される上記制御油圧ＰＳＬＴおよび解放側ポート１４７ａに作用するロックアップ解放油圧ＰＯＦＦの合成力と、スプリング室１４４に導入されるロックアップ係合油圧ＰＯＮおよびスプリング１４２の付勢力の合成力とのバランスにより上下に摺動する。ここで、ロックアップクラッチ２６はロックアップ差圧ΔＰに応じて係合される。ロックアップ差圧ΔＰの制御は、リニアソレノイドバルブＳＬＴの制御油圧ＰＳＬＴを制御することによって行われるようになっている。上記制御油圧ＰＳＬＴは励磁電流に応じてリニアに変化するため（図５参照）、ロックアップ差圧ΔＰを連続的に調整することが可能になる。これにともない、そのロックアップ差圧ΔＰに応じてロックアップクラッチ２６の係合度合い（クラッチ容量）を連続的に変化させることが可能になる。
【００９１】
より詳細には、上記制御油圧ＰＳＬＴを高くするほど、ロックアップ差圧ΔＰが大きくなり、ロックアップクラッチ２６の係合度合いが大きくなる。この場合、上記セカンダリレギュレータバルブからの作動油が、入力ポート１４６ｂ、係合側ポート１４７ｂ、油路１０６ｂを介してロックアップクラッチ２６の係合側油圧室２６１に供給される。一方、解放側油圧室２６２の作動油が、油路１０６ａ、解放側ポート１４７ａ、ドレーンポート１４９ａを介して排出される。そして、ロックアップ差圧ΔＰが所定値以上になると、ロックアップクラッチ２６は完全係合に至る。
【００９２】
逆に、上記制御油圧ＰＳＬＴを低くするほど、ロックアップ差圧ΔＰが小さくなり、ロックアップクラッチ２６の係合度合いが小さくなる。この場合、上記セカンダリレギュレータバルブからの作動油が、入力ポート１４６ａ、解放側ポート１４７ａ、油路１０６ａを介して解放側油圧室２６２に供給される。一方、係合側油圧室２６１の作動油が、油路１０６ｂ、係合側ポート１４７ｂ、ドレーンポート１４９ｂを介して排出される。そして、ロックアップ差圧ΔＰが負の値になると、ロックアップクラッチ２６は解放状態となる。
【００９３】
一方、リニアソレノイドバルブＳＬＴの制御油圧ＰＳＬＴの制御油圧室１４３への供給が停止されると、ロックアップコントロールバルブ１４０は、図３の左半分に示すように、スプール１４１がスプリング１４２の付勢力によって上方へ移動して原位置に保持された状態（ＯＦＦ状態）となる。このＯＦＦ状態では、入力ポート１４６ａおよび解放側ポート１４７ａ、係合側ポート１４７ｂおよびドレーンポート１４９ｂがそれぞれ連通される。このとき、ロックアップクラッチ２６は解放状態となっている。
【００９４】
また、ＯＮ−ＯＦＦソレノイドバルブＳＬ１がＯＮ状態である場合には、上述のようなロックアップクラッチ２６の係合・解放制御は行われず、ロックアップクラッチ２６を強制的に解放状態とする制御が行われる。言い換えれば、ガレージシフトバルブ１６０がコントロール位置に保持されており、前進用クラッチＣ１の係合過渡制御が行われる場合には、ロックアップクラッチ２６が強制的に解放状態とされる。
【００９５】
上述したように、ＯＮ−ＯＦＦソレノイドバルブＳＬ１がＯＮ状態のとき、このＯＮ−ＯＦＦソレノイドバルブＳＬ１の制御油圧がスプリング室１４４に導入される。このＯＮ−ＯＦＦソレノイドバルブＳＬ１の制御油圧により、スプリング１４２の付勢力と同じ方向の力がスプール１４１に与えられるので、制御油圧室１４３へのリニアソレノイドバルブＳＬＴの制御油圧ＰＳＬＴの供給の有無にかかわらず、ロックアップコントロールバルブ１４０が、図３の左半分に示すＯＦＦ状態に保持されるようになる。これにともない、ロックアップクラッチ２６が強制的に解放状態にされる。
【００９６】
このようなロックアップクラッチ２６の強制ＯＦＦにより、例えば、車両発進時などのガレージシフトの際、リニアソレノイドバルブＳＬＴのＯＮフェールなどが発生しても、ロックアップクラッチ２６を確実に解放状態に戻すことができ、エンジンストールが発生することを防止できる。なお、ロックアップクラッチ２６を確実に解放状態に戻すには、ＯＮ−ＯＦＦソレノイドバルブＳＬ１の制御油圧による力とスプリング１４２の付勢力との合成力が、リニアソレノイドバルブＳＬＴの制御油圧ＰＳＬＴによる力に比べて大きくなるようにすればよい。この場合、ＯＮ−ＯＦＦソレノイドバルブＳＬ１の制御油圧が上記制御油圧ＰＳＬＴの最大値に比べて小さければ、例えば、ＯＮ−ＯＦＦソレノイドバルブＳＬ１の制御油圧のスプール１４１への作用面積（受圧面積）を、上記制御油圧ＰＳＬＴのスプール１４１への作用面積（受圧面積）に比べ大きく設定することで、ロックアップクラッチ２６を確実に解放状態に戻すことが可能になる。
【００９７】
リニアソレノイドバルブＳＬＴ，ＳＬＰ，ＳＬＳは、例えば、ノーマルオープンタイプの電磁弁とされている。つまり、非通電時には、入力ポートと出力ポートとが連通されて入力された油圧が出力ポートより制御油圧として出力される。一方、通電時には、入力ポートから入力された油圧を電子制御装置８０から送られるデューティ信号によって決まる励磁電流に応じて調圧制御した油圧が出力ポートより制御油圧として出力される。この場合、励磁電流が大きくなるほど、制御油圧が小さくなるように調圧制御される。そして、励磁電流が所定値以上になると、制御油圧が「０」になり、制御油圧の出力が停止される。例えば、リニアソレノイドバルブＳＬＴの制御油圧ＰＳＬＴは、図５に示すように、励磁電流に応じてリニアに変化する。同様に、リニアソレノイドバルブＳＬＰ，ＳＬＳの制御油圧ＰＳＬＰ，ＰＳＬＳも励磁電流に応じてリニアに変化する。なお、リニアソレノイドバルブＳＬＴ，ＳＬＰ，ＳＬＳとして、ノーマルクローズタイプの電磁弁を用いる構成としてもよい。
【００９８】
リニアソレノイドバルブＳＬＴは、ライン油圧ＰＬの調圧制御、ロックアップクラッチ２６の係合・解放制御、および、前進用クラッチＣ１の係合過渡制御（係合過渡油圧の制御）を行うために設けられている。なお、これらの制御を行うための制御弁として、リニアソレノイドバルブＳＬＴの代わりに、デューティタイプの電磁弁を用いる構成としてもよい。
【００９９】
詳細には、リニアソレノイドバルブＳＬＴには、上記第２モジュレータバルブにより調圧された上記第２モジュレータ油圧ＰＭ２が、入力ポートＳＬＴａを介して導入される。このため、非通電時には、上記第２モジュレータ油圧ＰＭ２が制御油圧ＰＳＬＴとして出力され、通電時には、上記第２モジュレータ油圧ＰＭ２を励磁電流に応じてリニアに調圧制御した油圧が制御油圧ＰＳＬＴとして出力される。
【０１００】
出力ポートＳＬＴｂから出力される制御油圧ＰＳＬＴは、油路１０４を介して減圧バルブ１８０へ供給される。ライン油圧ＰＬの調圧制御は、その制御油圧ＰＳＬＴに基づいて直接行われるのではなく、その制御油圧ＰＳＬＴに応じて減圧バルブ１８０により減圧された出力油圧ＰＣＴＬに基づいて行われる。また、出力ポートＳＬＴｃから出力される制御油圧ＰＳＬＴは、油路１０５を介してロックアップコントロールバルブ１４０およびガレージシフトバルブ１６０へそれぞれ供給される。ロックアップクラッチ２６の係合・解放制御、および、前進用クラッチＣ１の係合過渡制御は、その制御油圧ＰＳＬＴに基づいて行われる。
【０１０１】
リニアソレノイドバルブＳＬＰは、ベルト式無段変速機４０の変速油圧ＰＩＮの調圧制御を行うために設けられている。なお、変速油圧ＰＩＮの調圧制御を行うための制御弁として、リニアソレノイドバルブＳＬＰの代わりに、デューティタイプの電磁弁を用いる構成としてもよい。
【０１０２】
詳細には、リニアソレノイドバルブＳＬＰには、上記第２モジュレータバルブにより調圧された上記第２モジュレータ油圧ＰＭ２が、入力ポートＳＬＰａを介して導入される。このため、非通電時には、上記第２モジュレータ油圧ＰＭ２が制御油圧ＰＳＬＰとして出力され、通電時には、上記第２モジュレータ油圧ＰＭ２を励磁電流に応じてリニアに調圧制御した油圧が制御油圧ＰＳＬＰとして出力される。出力ポートＳＬＰｂから出力される制御油圧ＰＳＬＰは、変速油圧コントロールバルブ１２０へ供給される。ベルト式無段変速機４０の変速油圧ＰＩＮの調圧制御は、その制御油圧ＰＳＬＰに基づいて行われる。
【０１０３】
リニアソレノイドバルブＳＬＳは、ライン油圧ＰＬの調圧制御、および、ベルト式無段変速機４０の挟圧油圧ＰＯＵＴの調圧制御を行うために設けられている。なお、これらの制御を行うための制御弁として、リニアソレノイドバルブＳＬＳの代わりに、デューティタイプの電磁弁を用いる構成としてもよい。
【０１０４】
詳細には、リニアソレノイドバルブＳＬＳには、上記第２モジュレータバルブにより調圧された上記第２モジュレータ油圧ＰＭ２が、入力ポートＳＬＳａを介して導入される。このため、非通電時には、上記第２モジュレータ油圧ＰＭ２が制御油圧ＰＳＬＳとして出力され、通電時には、上記第２モジュレータ油圧ＰＭ２を励磁電流に応じてリニアに調圧制御した油圧が制御油圧ＰＳＬＳとして出力される。出力ポートＳＬＳｂから出力される制御油圧ＰＳＬＳは、油路１０２を介してプライマリレギュレータバルブ１１０および挟圧油圧コントロールバルブ１３０へそれぞれ供給される。ライン油圧ＰＬの調圧制御、および、ベルト式無段変速機４０の挟圧油圧ＰＯＵＴの調圧制御は、その制御油圧ＰＳＬＳに基づいて行われる。
【０１０５】
上記構成の油圧制御回路１００では、単一の電磁弁（リニアソレノイドバルブＳＬＴ）によって、ライン油圧ＰＬの調圧制御、ロックアップクラッチ２６の係合・解放制御、および、前進用クラッチＣ１の係合過渡制御を行うようにしている。そして、この実施形態では、リニアソレノイドバルブＳＬＴによるライン油圧ＰＬの調圧制御の制御範囲（ライン油圧制御範囲）と、ロックアップクラッチ２６の係合・解放制御の制御範囲（ロックアップ制御範囲）とがそれぞれ設定されている。つまり、ライン油圧ＰＬの調圧制御とロックアップクラッチ２６の係合・解放制御とが同時には行われないようになっている。なお、リニアソレノイドバルブＳＬＴによる前進用クラッチＣ１の係合過渡制御は、ＯＮ−ＯＦＦソレノイドバルブＳＬ１がＯＮ状態である場合に行われ、ＯＦＦ状態である場合には行われないようになっている。
【０１０６】
図４、図５により、ライン油圧制御範囲とロックアップ制御範囲について説明する。ここでは、ＯＮ−ＯＦＦソレノイドバルブＳＬ１がＯＦＦ状態になっていることとする。なお、ＯＮ−ＯＦＦソレノイドバルブＳＬ１がＯＮ状態になっている場合、上述したロックアップクラッチ２６を強制的に解放状態とする制御が行われ、ロックアップクラッチ２６の係合・解放制御は行われない。
【０１０７】
図４、図５に示すように、リニアソレノイドバルブＳＬＴへ通電される励磁電流に対し、ライン油圧制御範囲Ｘ１とロックアップ制御範囲Ｘ２とが設定されており、リニアソレノイドバルブＳＬＴの制御油圧ＰＳＬＴに対し、ライン油圧制御範囲Ｙ１とロックアップ制御範囲Ｙ２とが設定されている。ライン油圧制御範囲Ｘ１（Ｙ１）とロックアップ制御範囲Ｘ２（Ｙ２）とは互いに重なり合わないような異なった範囲に設定されている。ここでは、切換点Ｘ３（Ｙ３）を境に、ライン油圧制御範囲Ｘ１（Ｙ１）とロックアップ制御範囲Ｘ２（Ｙ２）とが分けられている。
【０１０８】
具体的に、リニアソレノイドバルブＳＬＴへの励磁電流が切換点Ｘ３よりも小さい範囲にライン油圧制御範囲Ｘ１が設定され、大きい範囲にロックアップ制御範囲Ｘ２が設定されている。また、リニアソレノイドバルブＳＬＴの制御油圧ＰＳＬＴが切換点Ｙ３よりも大きい範囲にライン油圧制御範囲Ｙ１が設定され、小さい範囲にロックアップ制御範囲Ｙ２が設定されている。なお、上記制御油圧ＰＳＬＴの最小値は「０」、最大値はＰＳＬＴｍａｘとなっている。
【０１０９】
このようなライン油圧制御範囲Ｘ１（Ｙ１）とロックアップ制御範囲Ｘ２（Ｙ２）との設定は、リニアソレノイドバルブＳＬＴとプライマリレギュレータバルブ１１０との間に設けられた減圧バルブ１８０によって行われる。
【０１１０】
上述したように、減圧バルブ１８０の出力油圧ＰＣＴＬは、上記制御油圧ＰＳＬＴが減圧バルブ１８０のスプリング１８２の付勢力による圧力（Ｗ１／Ｓ１）以下の場合、「０」に設定されるため、出力油圧ＰＣＴＬがプライマリレギュレータバルブ１１０の制御油圧室１１３ｃへ導入されることはない。この場合、ライン油圧ＰＬの調圧制御は上記制御油圧ＰＳＬＴに基づいて行われず、ロックアップクラッチ２６の係合・解放制御だけが上記制御油圧ＰＳＬＴに基づいて行われる。また、この場合、ライン油圧ＰＬの調圧制御は、リニアソレノイドバルブＳＬＳの制御油圧ＰＳＬＳに基づいて行われるので、ロックアップ制御範囲Ｘ２（Ｙ２）において、ライン油圧ＰＬの調圧制御が行われなくなる状況が未然に回避されるようになっている。
【０１１１】
したがって、上記制御油圧ＰＳＬＴがスプリング１８２の付勢力による圧力（Ｗ１／Ｓ１）以下となる範囲が、ロックアップ制御範囲Ｘ２（Ｙ２）として設定される。ここで、上記切換点Ｘ３（Ｙ３）は、上記制御油圧ＰＳＬＴがスプリング１８２の付勢力による圧力（Ｗ１／Ｓ１）と等しいときに対応しており、この場合、減圧バルブ１８０の出力油圧ＰＣＴＬが「０」と等しくなる。ロックアップ制御範囲Ｘ２（Ｙ２）の大きさ（幅）は、スプリング１８２の付勢力による圧力（Ｗ１／Ｓ１）に応じて設定される。この場合、その圧力（Ｗ１／Ｓ１）が大きいほど、上記切換点Ｘ３（Ｙ３）が励磁電流の小さい側（制御油圧ＰＳＬＴの大きい側）に設定され、その結果、ロックアップ制御範囲Ｘ２（Ｙ２）が大きく設定されるようになる。
【０１１２】
一方、減圧バルブ１８０の出力油圧ＰＣＴＬは、上記制御油圧ＰＳＬＴがスプリング１８２の付勢力による圧力（Ｗ１／Ｓ１）を上回ると、プライマリレギュレータバルブ１１０の制御油圧室１１３ｃへ導入されるようになる。この場合、上述したように、ライン油圧ＰＬの調圧制御は、出力油圧ＰＣＴＬおよびリニアソレノイドバルブＳＬＳの制御油圧ＰＳＬＳの高いほうの油圧に基づいて行われる。
【０１１３】
したがって、上記制御油圧ＰＳＬＴがスプリング１８２の付勢力による圧力（Ｗ１／Ｓ１）以上となる範囲が、ライン油圧制御範囲Ｘ１（Ｙ１）として設定される。ここで、ライン油圧制御範囲Ｘ１（Ｙ１）の大きさ（幅）は、スプリング１８２の付勢力による圧力（Ｗ１／Ｓ１）に応じて設定される。この場合、その圧力（Ｗ１／Ｓ１）が小さいほど、上記切換点Ｘ３（Ｙ３）が励磁電流の大きい側（制御油圧ＰＳＬＴの小さい側）に設定され、その結果、ライン油圧制御範囲Ｘ１（Ｙ１）が大きく設定されるようになる。
【０１１４】
このライン油圧制御範囲Ｘ１（Ｙ１）では、ロックアップクラッチ２６の係合・解放制御が行われず、ロックアップクラッチ２６は完全係合状態で保持されている。このため、ライン油圧制御範囲Ｘ１（Ｙ１）では、上記制御油圧ＰＳＬＴが変化しても、ロックアップコントロールバルブ１４０のスプール１４１が最大限下方に移動した状態（図３の右半分に示す状態）で保持される。なお、上記切換点Ｘ３（Ｙ３）において、スプール１４１が最大限下方に移動した状態が得られるようにしてもよいし、ロックアップ制御範囲Ｘ２（Ｙ２）中で既にスプール１４１が最大限下方に移動した状態が得られるようにしてもよい。
【０１１５】
上記構成によれば、リニアソレノイドバルブＳＬＴによって、ライン油圧制御範囲Ｘ１（Ｙ１）ではライン油圧ＰＬの調圧制御が行われ、ロックアップ制御範囲Ｘ２（Ｙ２）ではロックアップクラッチ２６の係合・解放制御が行われる。この場合、減圧バルブ１８０によって、ライン油圧制御範囲Ｘ１（Ｙ１）とロックアップ制御範囲Ｘ２（Ｙ２）とが設定されるため、ライン油圧ＰＬの調圧制御とロックアップクラッチ２６の係合・解放制御とを切り換えるための切換弁や、その切換弁を制御するための専用のＯＮ−ＯＦＦ電磁弁を設ける必要がなくなる。これにより、コストアップや装置の大型化を回避することが可能になる。
【０１１６】
ここで、上述したように、変速比γがγ１よりも高い場合には（図６参照）、ライン油圧ＰＬを目標挟圧油圧に比べ同じもしくは僅かに高く設定することが好ましいが、この場合には、ライン油圧ＰＬの調圧制御をリニアソレノイドバルブＳＬＳの制御油圧ＰＳＬＳに基づいて行うことで、オイルポンプ２７の駆動損失を抑制することができる。一方、変速比γがγ１よりも低い場合には、ライン油圧ＰＬを目標変速油圧に比べ同じもしくは僅かに高く設定することが好ましいが、この場合には、ライン油圧ＰＬの調圧制御を減圧バルブ１８０の出力油圧ＰＣＴＬ（リニアソレノイドバルブＳＬＴの制御油圧ＰＳＬＴ）に基づいて行うことで、オイルポンプ２７の駆動損失を抑制することができる。
【０１１７】
以上、本発明の実施形態について説明したが、ここに示した実施形態は一例であり、さまざまに変形することが可能である。その一例を以下に挙げる。
【０１１８】
上記実施形態では、リニアソレノイドバルブＳＬＴの制御油圧ＰＳＬＴ（リニアソレノイドバルブＳＬＴへ通電される励磁電流）の一部の範囲にライン油圧制御範囲を設定し、残部の範囲にロックアップ制御範囲を設定する場合について説明したが、ライン油圧制御範囲とロックアップ制御範囲とが重なり合わない範囲に設定されていれば、上述した場合だけに限定されない。要するに、ライン油圧制御範囲とロックアップ制御範囲とは、ライン油圧ＰＬの調圧制御とロックアップクラッチ２６の係合・解放制御とが同時に行われないような範囲に設定されていればよい。具体的には、リニアソレノイドバルブＳＬＴの制御油圧ＰＳＬＴの一部の範囲にライン油圧制御範囲を設定した場合、残部の範囲のうち、全部分をロックアップ制御範囲として設定するのではなく、その残部の範囲のうち、一部分だけをロックアップ制御範囲として設定してもよい。例えば、ライン油圧制御範囲とロックアップ制御範囲との境界に所定の幅のヒステリシスを設ける構成としてもよい。
【０１１９】
上記実施形態では、リニアソレノイドバルブＳＬＴによって、ライン油圧ＰＬの調圧制御、ロックアップクラッチ２６の係合・解放制御、および、前進用クラッチＣ１の係合過渡制御を行う場合について説明したが、前進用クラッチＣ１の係合過渡制御は、別のリニアソレノイドバルブによって行う構成としてもよい。
【０１２０】
上記実施形態では、ライン油圧制御範囲とロックアップ制御範囲との設定を、リニアソレノイドバルブＳＬＴとプライマリレギュレータバルブ１１０との間に設けられた減圧バルブ１８０によって行う場合について説明したが、例えば、図７に示すように、そのような減圧バルブの機能を有するプライマリレギュレータバルブ２１０を用いる構成としてもよい。図７には、油圧制御回路１００’の一部のみを示しているが、減圧バルブの機能を有するプライマリレギュレータバルブ２１０に関わる部分を除いて、図３に示す油圧制御回路１００とほぼ同様の構成となっている。
【０１２１】
このプライマリレギュレータバルブ２１０は、軸方向へ移動可能な第１スプール２１１ａおよび第２スプール２１１ｂと、付勢手段としての第１スプリング２１２ａおよび第２スプリング２１２ｂとを備えている。図７においては、上側に設けられた第１スプール２１１ａと下側に設けられた第２スプール２１１ｂとがともに上下に摺動可能に設けられている。プライマリレギュレータバルブ２１０には、制御ポート２１５ａ，２１５ｂ，２１５ｃ，２１５ｄと、入力ポート２１６と、出力ポート２１７とが設けられている。
【０１２２】
第１スプール２１１ａによって、入力ポート２１６と出力ポート２１７とが連通・遮断される。第１スプリング２１２ａおよび第２スプリング２１２ｂは、第１スプール２１１ａの一端側（図７では下端側）と第２スプール２１１ｂの他端側（図７では上端側）との間に設けられた制御油圧室２１３ｂに配置されている。第１スプリング２１２ａは、第１スプール２１１ａと第２スプール２１１ｂとの間に圧縮状態で配置されている。この第１スプリング２１２ａの付勢力によって、入力ポート２１６と出力ポート２１７とを遮断する方向（図７では上方）に第１スプール２１１ａが押圧されている。第２スプリング２１２ｂは、第２スプール２１１ｂの他端側とバルブボディとの間に圧縮状態で配置されている。この第２スプリング２１２ｂの付勢力によって、第２スプール２１１ｂが一端側に向けて押圧されている。
【０１２３】
制御ポート２１５ａは、第１スプール２１１ａの他端側に設けられる制御油圧室２１３ａに接続されている。また、制御ポート２１５ａは、油路１０１’に接続されている。この制御ポート２１５ａを介して、制御油圧室２１３ａにライン油圧ＰＬが供給される。制御ポート２１５ｂは、上記制御油圧室２１３ｂに接続されている。また、制御ポート２１５ｃは、第２スプール２１１ｂとバルブボディとの間に設けられる制御油圧室２１３ｃに接続されている。制御ポート２１５ｂ，２１５ｃは、それぞれ油路１０２’を介してリニアソレノイドバルブＳＬＳの出力ポートＳＬＳｂに接続されている。制御ポート２１５ｂ，２１５ｃを介して、制御油圧室２１３ｂ，２１３ｃにリニアソレノイドバルブＳＬＳの制御油圧ＰＳＬＳがそれぞれ供給される。
【０１２４】
制御ポート２１５ｄは、第２スプール２１１ｂの一端側に設けられた制御油圧室２１３ｄに接続されている。また、制御ポート２１５ｄは、油路１０３’を介してリニアソレノイドバルブＳＬＴの出力ポートＳＬＴｂに接続されている。この制御ポート２１５ｄを介して、制御油圧室２１３ｄにリニアソレノイドバルブＳＬＴの制御油圧ＰＳＬＴが供給される。入力ポート２１６は、油路１０１’に接続されている。この入力ポート２１６を介してライン油圧ＰＬが入力されるようになっている。出力ポート２１７は、図示しないセカンダリレギュレータバルブに接続されている。
【０１２５】
このプライマリレギュレータバルブ２１０では、制御油圧室２１３ｄに供給されるリニアソレノイドバルブＳＬＴの制御油圧ＰＳＬＴが第２スプリング２１２ｂの荷重以下のとき、その制御油圧ＰＳＬＴはライン油圧ＰＬの調圧制御には寄与しない。その制御油圧ＰＳＬＴが第２スプリング２１２ｂの荷重を上回ったときから、その制御油圧ＰＳＬＴがライン油圧ＰＬの調圧制御に寄与することになる。この場合、その制御油圧ＰＳＬＴに対し第２スプリング２１２ｂの付勢力に相当する油圧だけ減圧された油圧がライン油圧ＰＬの調圧制御に寄与することになる。したがって、ライン油圧ＰＬの調圧制御に寄与する制御油圧ＰＳＬＴが「０」である間は、ロックアップクラッチ２６の係合・解放制御が行われるロックアップ制御範囲となっており、ライン油圧ＰＬの制御に寄与する制御油圧ＰＳＬＴが「０」を上回ると、ライン油圧ＰＬの調圧制御が行われるライン油圧制御範囲となっている。ライン油圧制御範囲では、制御ポート２１５ｂを介して供給される上記制御油圧ＰＳＬＳの第１スプール２１１ａへの作用面積（受圧面積）と、制御ポート２１５ｄを介して供給される上記制御油圧ＰＳＬＴの第２スプール２１１ｂへの作用面積（受圧面積）とが同じになっているため、上記制御油圧ＰＳＬＳ，ＰＳＬＴのうち高いほうの油圧によってライン油圧ＰＬの調圧制御が行われる。
【図面の簡単な説明】
【０１２６】
【図１】実施形態に係る車両用駆動装置の概略構成を示す図である。
【図２】図１の車両用駆動装置の動力伝達機構の制御系統の一例を示すブロック図である。
【図３】図１の車両用駆動装置の動力伝達機構を制御するための油圧制御回路の一例を示す回路図である。
【図４】リニアソレノイドバルブの制御油圧に対する減圧バルブの出力油圧の特性を示す図である。
【図５】リニアソレノイドバルブの励磁電流に対する制御油圧の特性を示す図である。
【図６】ベルト式無段変速機の変速比に応じた目標変速油圧および目標挟圧油圧の設定値の変化を示す図である。
【図７】他の実施形態に係る油圧制御回路の一部を示す図である。
【符号の説明】
【０１２７】
２０            トルクコンバータ
２６            ロックアップクラッチ
４０            ベルト式無段変速機
８０            電子制御装置
１００          油圧制御回路
１１０          プライマリレギュレータバルブ（ライン油圧制御弁）
１４０          ロックアップコントロールバルブ（ロックアップ制御弁）
１８０          減圧バルブ
ＳＬＳ，ＳＬＴ  リニアソレノイドバルブ
ＳＬ１          ＯＮ−ＯＦＦソレノイドバルブ
【図１】
0004577342.tif 000002
【図２】
0004577342.tif 000003
【図３】
0004577342.tif 000004
【図４】
0004577342.tif 000005
【図５】
0004577342.tif 000006
【図６】
0004577342.tif 000007
【図７】
0004577342.tif 000008